(57)【特許請求の範囲】
【請求項１】
略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、燃焼部や熱交換部に対して仕切板が直接向かい合う部分がないような大きさ及び形状であることを特徴とする屋外設置型燃焼器具。
【請求項２】
略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、仕切板と略同一形状及び略同一の大きさであることを特徴とする屋外設置型燃焼器具。
【請求項３】
略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、仕切板と略同一形状及び略同一の大きさであると共に、前記排気口を器具本体前面の上方に配設し、吸気口を排気口の横に排気口の高さ以上の位置から下に向かって多数設けたことを特徴とする屋外設置型燃焼器具。
【発明の詳細な説明】
【０００１】
【産業上の利用分野】
この発明は、ガスや石油等の燃料を燃焼させて温水暖房の回路内を流れる循環液を加熱する屋外設置型燃焼器具に関するものである。
【０００２】
【従来の技術】
従来よりこの種のものに於いては、室内などに設置された温水式床暖房や温水式温風暖房機、温水式放熱器などの温水暖房の回路内を流れる循環液を加熱するために、燃焼器具の器具本体内に温水暖房の回路内を流れる循環液を一定量貯めておく合成樹脂からなるタンクと、ガスや石油等の燃料を燃焼させる燃焼部と、燃焼部より発生した燃焼ガスと循環液との間で熱交換をする熱交換部と、タンク内の循環液を熱交換部に送って温度を上昇させた後温水回路へ送り出すと共に、温水暖房の回路内を通過して放熱して温度の下がった循環液をタンク内に戻す循環ポンプと、器具本体に設けた吸気口から空気を吸気して燃焼用空気として燃焼部へ送風すると共に、燃焼部で発生した燃焼ガスを熱交換部を通過させた後に排気口から排気させる送風機と、器具本体の制御を行うプリント基板とを備えていた。
【０００３】
そして、運転を開始すると、燃焼部でガスや石油等の燃料が燃焼されて燃焼部及び熱交換部が高温となるため、その熱で器具本体内に配置されているタンクやプリント基板が破損したり誤動作しないように、タンク及びプリント基板と燃焼部及び熱交換部とが接近しすぎないようにある程度離して配置したり、また、タンク及びプリント基板と燃焼部及び熱交換部との間に遮熱を兼ねた仕切板を設けたりしていた。
【０００４】
【発明が解決しようとする課題】
そこで、器具本体を小型化しようとすると、タンク及びプリント基板と燃焼部及び熱交換部とが接近するため、高温となった燃焼部及び熱交換部の熱によりタンクやプリント基板が破損や誤動作したり、また、タンク及びプリント基板と燃焼部及び熱交換部との間に仕切板を設けても、器具本体を小型化するために燃焼部及び熱交換部と仕切板とをより接近させて配置すると、燃焼部及び熱交換部の熱で仕切板がより高温になり、更に、タンクやプリント基板も仕切板により接近させて配置すると、従来よりも高温である仕切板がより接近することで、仕切板の熱でタンクやプリント基板が破損したり誤動作するため、器具本体を小型化することが難しかった。
【０００５】
【問題点を解決するための手段】
本発明はこの点に着目し上記欠点を解決する為、特にその構成を、請求項１では、略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、燃焼部や熱交換部に対して仕切板が直接向かい合う部分がないような大きさ及び形状であるものである。
又請求項２では、略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、仕切板と略同一形状及び略同一の大きさであるものである。
又請求項３では、略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、仕切板と略同一形状及び略同一の大きさであると共に、前記排気口を器具本体前面の上方に配設し、吸気口を排気口の横に排気口の高さ以上の位置から下に向かって多数設けたものである。
【０００６】
【作用】
請求項１の発明においては、室内に設けられた操作パネルや室内機などに設けた運転スイッチ（図示せず）を操作して運転動作に入ると、燃焼部１５に燃油と燃焼用空気が送られて燃焼が開始され、燃焼ガスにより加熱された熱交換部１７に循環液を通過させて熱交換し、温度の上がった循環液を器具本体１から温水暖房の回路（図示せず）へと送る。
この時、器具本体１内のタンク２２及びプリント基板２９と燃焼部１５及び熱交換部１７との間に仕切板１４を設け、更に、仕切板１４と燃焼部１５及び熱交換部１７との間に、その側面が、燃焼部１５や熱交換部１７に対して仕切板１４が直接向かい合う部分がないような大きさ及び形状である箱形の給気部１９を設けた。
この給気部１９は高温となった燃焼部１５及び熱交換部１７の熱により加熱されるが、器具本体１正面の前面パネル３に設けた吸気口７から空気が燃焼用空気として吸気され、それが給気部１９内を通過して燃焼部１５へと送風されるため、給気部１９は冷却されて高温になるのを防止される。
この給気部１９が高温にならないことにより、その隣に位置する仕切板１４は給気部１９に加熱されることがなく温度は上がらないので、仕切板１４により仕切られているタンク２２やプリント基板も２９仕切板１４に加熱されることがなく温度が上がらない。
したがって燃焼部１５及び熱交換部１７の熱によるタンク２２やプリント基板２９の破損や誤動作を防止できるものである。
【０００７】
又請求項２の発明においては、室内に設けられた操作パネルや室内機などに設けた運転スイッチ（図示せず）を操作して運転動作に入ると、燃焼部１５に燃油と燃焼用空気が送られて燃焼が開始され、燃焼ガスにより加熱された熱交換部１７に循環液を通過させて熱交換し、温度の上がった循環液を器具本体１から温水暖房の回路（図示せず）へと送る。
この時、器具本体１内のタンク２２及びプリント基板２９と燃焼部１５及び熱交換部１７との間に仕切板１４を設け、更に、仕切板１４と燃焼部１５及び熱交換部１７との間に、その側面が、仕切板１４と略同一形状及び略同一の大きさである箱形の給気部１９を設けた。
この給気部１９は高温となった燃焼部１５及び熱交換部１７の熱により加熱されるが、器具本体１正面の前面パネル３に設けた吸気口７から空気が燃焼用空気として吸気され、それが給気部１９内を通過して燃焼部１５へと送風されるため、給気部１９は冷却されて高温になるのを防止される。
この給気部１９が高温にならないことにより、その隣に位置する仕切板１４は給気部１９に加熱されることがなく温度は上がらないので、仕切板１４により仕切られているタンク２２やプリント基板も２９仕切板１４に加熱されることがなく温度が上がらない。
したがって燃焼部１５及び熱交換部１７の熱によるタンク２２やプリント基板２９の破損や誤動作を防止できるものである。
【０００８】
又請求項３の発明においては、室内に設けられた操作パネルや室内機などに設けた運転スイッチ（図示せず）を操作して運転動作に入ると、燃焼部１５に燃油と燃焼用空気が送られて燃焼が開始され、燃焼ガスにより加熱された熱交換部１７に循環液を通過させて熱交換し、温度の上がった循環液を器具本体１から温水暖房の回路（図示せず）へと送る。
この時、器具本体１内のタンク２２及びプリント基板２９と燃焼部１５及び熱交換部１７との間に仕切板１４を設け、更に、仕切板１４と燃焼部１５及び熱交換部１７との間に、その側面が、仕切板１４と略同一形状及び略同一の大きさである箱形の給気部１９を設けると共に、前記排気口を器具本体前面の上方に配設し、吸気口を排気口の横に排気口の高さ以上の位置から下に向かって多数設けた。  この給気部１９は高温となった燃焼部１５及び熱交換部１７の熱により加熱されるが、器具本体１正面の前面パネル３に設けた吸気口７から空気が燃焼用空気として吸気され、それが給気部１９内を通過して燃焼部１５へと送風されるため、給気部１９は冷却されて高温になるのを防止される。
この給気部１９が高温にならないことにより、その隣に位置する仕切板１４は給気部１９に加熱されることがなく温度は上がらないので、仕切板１４により仕切られているタンク２２やプリント基板も２９仕切板１４に加熱されることがなく温度が上がらない。
したがって燃焼部１５及び熱交換部１７の熱によるタンク２２やプリント基板２９の破損や誤動作を防止できるものである。
【０００９】
更に斜め上方から前パネル３に対して当たる風により、排気口１８から排気される排気ガスが下方に回り込んで吸気口７に流れ込んできても、吸気口７の中で上方に位置する吸気口７には排気ガスが回り込んでこないので、その上方に位置する吸気口７から空気が吸気され、風により排気ガスが下に回り込んで吸気されることが起こっても不完全燃焼の発生を防止できるものである。
【００１０】
【実施例】
次にこの発明に係る屋外設置型燃焼器具を図面に示す一実施例で説明する。
１は屋外設置型燃焼器具の器具本体で、天板２と、前面パネル３と、側面板と背面板とを一体にした中板４と、底板５とからなり、屋外に設置されるものである。
【００１１】
前記前面パネル３には、右上に排気口用孔６が形成され、その排気口用孔６の左側に空気取り入れのために、開口方向上向きで外面から内面に向けて凸形状の吸気口７が、前面パネル３の略中央の上方から中ほどにかけて、排気口用孔６より吸気口７全体が長くなるように縦に多数形成されている。
【００１２】
また、その吸気口７の左側に器具本体１内に配置される電源用トランス８や他の電装品を冷却するために、開口方向上向きで外面から内面に向けて凸形状の冷却口９がで前面パネル３の左端の中ほどから下方にかけて縦に複数形成されている。
【００１３】
更に、お碗を逆さにして縦長にしたような形状で断面略Ｕ字状の吸気口受け１０を、全部の吸気口７の凸形状の部分を収容するように前面パネル３の吸気口７の内面側に設け、その吸気口受け１０の底面部分の上方には、吸気口７から吸気した空気が全て通過する通気孔１１が形成されている。
【００１４】
１２は、冷却口９から雨水が器具本体１内に進入しても、電源用トランス８や他の電装品を濡らすことがないように設けた断面略コ字状の縦長の雨よけ板である。
【００１５】
１３は断面略コ字状の雨受け板で、中板４の前面開口部分の上端に水平に取り付けられ、天板２の前部の底の部分と前面パネル３の上端とがこれに係合し、天板２の前部と前面パネル３の上端との間の隙間から雨水が浸入しても雨受け板１３に留まって器具本体１内に浸入させないものである。
【００１６】
１４は仕切板で、器具本体１内の中央からやや左よりの位置に配置され、器具本体１内を左右に区画するものである。
【００１７】
１５は燃焼部で、器具本体１内の正面向かって右側に配置され、供給される燃油と燃焼用空気とにより燃焼筒１６内で燃焼し、その燃焼ガスが上部の熱交換部１７を通過して排気口１８から排気されるもので、この排気口１８は前面パネル３を器具本体１に取り付けた際、前面パネル３の排気口用孔６内に位置するものである。
【００１８】
１９は略箱状の給気部で、仕切板１４と燃焼部１５との間に配置され、上方には吸気口受け１０の通気孔１１に密接する空気受け部２０が形成され、この空気受け部２０より流入した空気を中板４の背面下方に設けた空気流入部２１まで案内するものである。
【００１９】
また、この給気部１９は、その側面がほぼ仕切り板１４と同じ大きさ、形状なので、燃焼部１５や熱交換部１７に対して仕切板１４が直接向かい合う部分がないようになっている。
【００２０】
２２は合成樹脂よりなるタンクで、温水暖房の回路内を流れる循環液を一定量貯めておくもので、上方に循環液を補給するための補給口２３が設けられ、通常はキャップ２４にて閉じられているものである。
【００２１】
２５は循環ポンプで、タンク２２内の循環液を熱交換部１７に送って熱交換により温度を上昇させた後、器具本体１外の温水暖房の回路へ送り出すと共に、温水暖房の回路を通過して放熱により温度の下がった循環液を器具本体１内のタンク２２へ戻すものである。
【００２２】
２６は送風機で、空気を吸気口７から給気部１９へそして空気流入部２１を通って燃焼部１５へと送風し、燃焼により発生した燃焼ガスを排気ガスとして熱交換部１７を通過させて排気口１８から排気するものである。
【００２３】
２７は油受け部で、器具本体１外の燃料タンク（図示せず）から燃油を送油して常に一定量の燃油を貯めておくもので、更にその貯めた燃油を電磁ポンプ２８により燃焼部１５へ送油するものである。
【００２４】
２９はプリント基板で、室内の操作パネルや室内機などの操作ボタンを操作することにより発信される運転信号を信号線を介して受信して、その運転信号に基づいて燃焼器具の運転を制御するものである。
【００２５】
３０は基板取付板で、仕切板１４で仕切られた器具本体１内の左側の区画を更に前後に区画するように設けられ、区画された後ろ側にはタンク収納部３１を形成してタンク２２が配置され、区画された前側には基板収納部３２を形成してプリント基板２９が基板取付板３０の前面に固定された状態で配置されている。
【００２６】
次にこの屋外設置型燃焼器具の運転動作について説明する。
まず、室内の操作パネルや温水暖房の回路に接続されている室内機に設けられた運転スイッチを押すと運転開始信号が信号線を介して器具本体１内のプリント基板２９のマイコン（図示せず）に出力され、それにより燃焼器具は運転を開始し、燃焼部１５のヒータ（図示せず）に通電して温度を上昇させ、燃焼部１５のバーナ（図示せず）の温度が予め設定している温度まで上昇すると、電磁ポンプ２８より燃油がバーナへ供給されると共に、送風機２６より燃焼用空気が吸気口７から給気部１９を通ってバーナへ供給され、それにより燃焼部１５内で燃油と燃焼用空気とが予混合されて混合気となり、その混合気を着火手段（図示せず）により着火して燃焼が開始される。
【００２７】
燃焼により発生した燃焼ガスは、燃焼部１５の上方に配置された熱交換部１７を通過して、排気口１８から排気ガスとして器具本体１外へ排気される。
【００２８】
そして循環ポンプ２５によりタンク２２内の循環液が、燃焼ガスにより加熱された熱交換部１７に送られて熱交換により温度が上昇した後、器具本体１外の温水暖房の回路へと送られ、温水暖房の回路を通過するとき暖房のため放熱して温度が下がった状態となって再びタンク２２へと戻ってくるものである。
【００２９】
このとき、燃焼炎や燃焼ガスにより加熱されて高温となっている燃焼部１５や熱交換部１７の熱により、給気部１９の燃焼部１５及び熱交換部１７側の側面が加熱されるが、運転中は吸気口７から吸気された空気が常に給気部１９内を通過するので、その通過する空気により給気部１９が冷却され、燃焼部１５や熱交換部１７の熱により給気部１９が過熱状態にならないものである。
【００３０】
これにより給気部１９が仕切板１４と燃焼部１５及び熱交換部１７との間で断熱的な作用をするので、燃焼部１５及び熱交換部１７の熱が仕切板１４やタンク２２やプリント基板２９を加熱することなく、熱による破損や誤動作を防止できるものである。
【００３１】
また、それにより燃焼部１５及び熱交換部１７とタンク２２及びプリント基板２９との距離を従来よりも接近させて配置し、その間に給気部１９を設けることで器具本体１の空きスペースをなくし、器具本体１を小型化できるものである。
【００３２】
また、吸気口７より吸気される燃焼用空気も、燃焼部１５や熱交換部１７からの熱により加熱された給気部１９を通過するため温度がいくらか上がった状態で燃焼部１５へと送風されるので、外気の温度が低くとも燃焼用空気の温度を外気よりいくらか高くして燃焼させることができ、それにより燃焼ガスの温度が燃焼用空気を外気の温度のままで燃焼させた時よりも高くなり、熱交換の効率を向上させることができるものである。
【００３３】
また、前面パネル３の上方に排気口１８を設け、その横に排気口１８と同じ高さから排気口１８よりずっと下の位置まで縦に吸気口７を多数設けたので、斜め上方から前パネル３に対して当たる風により、排気口１８から排気される排気ガスが下方に回り込んで吸気口７に流れ込んできても、吸気口７の中で上方に位置する吸気口７には排気ガスが回り込んでこないので、その上方に位置する吸気口７から空気が吸気され、風により排気ガスが下に回り込んで吸気されることが起こっても不完全燃焼の発生を防止できるものである。
【００３４】
【発明の効果】
以上のように請求項１の発明では、略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、燃焼部や熱交換部に対して仕切板が直接向かい合う部分がないような大きさ及び形状であることから、燃焼部及び熱交換部にタンクやプリント基板を接近させて配置しても、その間に位置する給気部が、器具本体外から吸気されて給気部内を通過する燃焼用空気により冷却され、燃焼部及び熱交換部の熱がタンクやプリント基板に伝わらないよう断熱するので、燃焼部及び熱交換部の熱によるタンクやプリント基板の損傷や誤動作を防止し、それにより器具本体をより小型化することができるものである。
また、燃焼部及び熱交換部の熱により加熱された給気部内を燃焼用空気が通過することにより、その空気の温度がいくらか上昇し、それにより燃焼ガスの温度が外気の温度のままの空気で燃焼させた時よりも高くなり、その分熱交換の効率を向上させることができるものである。
【００３５】
又請求項２の発明では、略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、仕切板と略同一形状及び略同一の大きさであることから、燃焼部及び熱交換部にタンクやプリント基板を接近させて配置しても、その間に位置する給気部が、器具本体外から吸気されて給気部内を通過する燃焼用空気により冷却され、燃焼部及び熱交換部の熱がタンクやプリント基板に伝わらないよう断熱するので、燃焼部及び熱交換部の熱によるタンクやプリント基板の損傷や誤動作を防止し、それにより器具本体をより小型化することができるものである。
また、燃焼部及び熱交換部の熱により加熱された給気部内を燃焼用空気が通過することにより、その空気の温度がいくらか上昇し、それにより燃焼ガスの温度が外気の温度のままの空気で燃焼させた時よりも高くなり、その分熱交換の効率を向上させることができるものである。
【００３６】
又請求項３の発明では、略箱状の器具本体内に、該器具本体内を二つに区画する仕切板を設け、その一方の区画に燃焼部及び熱交換部とを配設し、他方の区画に温水暖房用の循環液を一定量貯めておくタンクと燃焼器具の運転制御を行うプリント基板とを配設し、前記器具本体の前面には燃焼部からの燃焼ガスを排気する排気口と、燃焼部への燃焼用空気を吸気する吸気口とを配設した屋外設置型燃焼器具に於いて、前記燃焼部及び熱交換部と仕切板との間に吸気口から吸気した燃焼用空気が通過する略箱状の給気部を設け、該給気部の側面は、仕切板と略同一形状及び略同一の大きさであると共に、前記排気口を器具本体前面の上方に配設し、吸気口を排気口の横に排気口の高さ以上の位置から下に向かって多数設けたものであるから、燃焼部及び熱交換部にタンクやプリント基板を接近させて配置しても、その間に位置する給気部が、器具本体外から吸気されて給気部内を通過する燃焼用空気により冷却され、燃焼部及び熱交換部の熱がタンクやプリント基板に伝わらないよう断熱するので、燃焼部及び熱交換部の熱によるタンクやプリント基板の損傷や誤動作を防止し、それにより器具本体をより小型化することができるものである。
また、燃焼部及び熱交換部の熱により加熱された給気部内を燃焼用空気が通過することにより、その空気の温度がいくらか上昇し、それにより燃焼ガスの温度が外気の温度のままの空気で燃焼させた時よりも高くなり、その分熱交換の効率を向上させることができるものである。
更に斜め上方から前パネルに対して当たる風により、排気口から排気される排気ガスが下方に回り込んで吸気口に流れ込んできても、吸気口の中で上方に位置する吸気口には排気ガスが回り込んでこないので、その上方に位置する吸気口から空気が吸気され、風により排気ガスが下に回り込んで吸気されることが起こっても不完全燃焼の発生を防止できるものである。
【図面の簡単な説明】
【図１】この発明の一実施例を付した燃焼器具を示す正面図。
【図２】同器具本体から前パネルを外した状態を示す正面図。
【図３】同器具本体から前パネルと天板とを取り外した状態を示す平面図。
【図４】同図１Ａ−Ａ線の断面図。
【図５】同吸気口受けと空気受け部との係合状態を示す要部断面図。
【符号の説明】
１  器具本体
７  吸気口
１４  仕切板
１５  燃焼部
１７  熱交換部
１８  排気口
１９  給気部
２２  タンク
２９  プリント基板
【図１】
0003692221.tif 000002
【図２】
0003692221.tif 000003
【図３】
0003692221.tif 000004
【図４】
0003692221.tif 000005
【図５】
0003692221.tif 000006